(57)【要約】【課題】土留めを確実に行うことができて、施工も簡単であり、しかも美観の維持及び形成を良好に行うことのできる土留め枠、及びこれを使用した土留め工法を、簡単な構成によって提供すること。【解決手段】施工現場上に載置される載置部１１ａと、この載置部１１ａの前端から立ち上がって棒材や面材等の表面材２０を支持することになる立ち上がり部１１ｂとを有する複数のＬ型材１１と、これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成したこと。【選択図】図２
2004044361.tif 000002
【特許請求の範囲】
【請求項１】
施工現場上に載置される載置部と、この載置部の前端から立ち上がって棒材や面材等の表面材を支持することになる立ち上がり部とを有する複数のＬ型材と、
これらのＬ型材の各立ち上がり部と略平行でこれより前方に突出する立ち上がり部と、この立ち上がり部の下端に一体化された載置部とを有する複数の突出Ｌ型材とを備え、
これらの突出Ｌ型材及び前記Ｌ型材を連結横材によって互いに連結することにより、前記突出Ｌ型材とＬ型材との各立ち上がり部の間に、前記表面材の複数を収納できる収納空間を形成したことを特徴とする土留め枠。
【請求項２】
前記突出Ｌ型材を構成している立ち上がり部と、前記Ｌ型材の立ち上がり部、またはこの立ち上がり部を互いに連結している横連結部材とを連結するための前後連結部材を備えたことを特徴とする請求項１に記載の土留め枠。
【請求項３】
前記突出Ｌ型材を、その各立ち上がり部の上端を互いに連結する横連結部材を有したものとし、この横連結部材と、前記Ｌ型材の立ち上がり部、またはこの立ち上がり部を互いに連結している前記横連結部材とを連結するための前後連結部材を備えたことを特徴とする請求項１に記載の土留め枠。
【請求項４】
前記各連結横材の少なくとも一端を、側端に位置する前記Ｌ型材より外方に突出させたことを特徴とする請求項１〜請求項３のいずれかに記載の土留め枠。
【請求項５】
前記各Ｌ型材を構成している立ち上がり部の上端と、前記載置部または連結横材とを互いに連結する斜め連結部材を備えたことを特徴とする請求項１〜請求項４のいずれかに記載の土留め枠。
【請求項６】
前記突出Ｌ型材の、前記連結横材またはＬ型材に対する連結部分において、当該突出Ｌ型材の突出量を変更可能に連結したことを特徴とする請求項１〜請求項５のいずれかに記載の土留め枠。
【請求項７】
前記収納空間は、前記表面材の全体を収納できるようにしたものであることを特徴とする請求項１〜請求項６のいずれかに記載の土留め枠。
【請求項８】
前記各突出Ｌ型材の立ち上がり部には、前記表面材がこれに形成してある挿通穴にて挿通されるものであり、前記収納空間は、前記表面材の一部を収納できるようにしたものであることを特徴とする請求項１〜請求項６のいずれかに記載の土留め枠。
【請求項９】
前記各Ｌ型材の立ち上がり部を、前記突出Ｌ型材のそれよりも短くしたことを特徴とする請求項１〜請求項８のいずれかに記載の土留め枠。
【請求項１０】
施工現場上に載置される載置部と、この載置部の前端から立ち上がって棒材や面材等の表面材を支持することになる立ち上がり部とを有する複数のＬ型材と、これらのＬ型材の各立ち上がり部と略平行でこれより前方に突出する立ち上がり部と、この立ち上がり部の下端に一体化された載置部とを有する複数の突出Ｌ型材とを備え、これらの突出Ｌ型材及び前記Ｌ型材を連結横材によって互いに連結することにより、前記突出Ｌ型材とＬ型材との各立ち上がり部の間に、前記表面材の複数を収納できる収納空間を形成した土留め枠を使用する土留め工法であって、
当該土留め枠を施工現場上に載置した後、各載置部の後端部を前記施工現場上にアンカーや杭等の固定部材によって固定することにより当該土留め枠全体を施工現場上に固定し、
固定された土留め枠の前記収納空間内に前記表面材を横方向に順次収納するとともに、当該土留め枠内側に客土を行うようにしたことを特徴とする土留め工法。
【請求項１１】
前記土留め枠を載置するにあたって、その下側に平らな補強材を敷設してから行うようにしたことを特徴とする請求項１０に記載の土留め工法。
【請求項１２】
前記施工現場上に固定された土留め枠の少なくとも内側に、客土の漏れ出を防止する平らな漏出防止材を、客土作業前に敷設するようにしたことを特徴とする請求項１０または請求項１１に記載の土留め工法。
【請求項１３】
前記突出Ｌ型材は、前記連結横材またはＬ型材に対する連結部分において、当該突出Ｌ型材の突出量が変更可能にしてあることを特徴とする請求項１０〜請求項１２のいずれかに記載の土留め工法。
【発明の詳細な説明】
【０００１】
【発明の属する技術分野】
本発明は、法面や崖等の盛り土周囲の土留めを行うために使用する土留め枠に関し、特に、間伐材等の表面材を使用して、枠表面の美観を高めることができるようにした土留め枠に関するものである。
【０００２】
【従来の技術】
法面や崖等の盛り土は、既存のものでも新規のものでも、その周囲を何等かの手段によって保護しておかないと、風雨によって崩れてしまう。このため、法面や崖等の盛り土周囲の土留めは必ず行わなければならないが、この土留めを行うための土留め枠としては、従来種々なものが提案されてきている。
【０００３】
例えば、特許文献１には、図１６に示すような「土留柵」が提案されているが、この土留柵は、当該公報の実用新案登録請求の範囲の記載からすると、
「少なくとも前面を斜面とし、底面の前後端にそれぞれ連結横材を嵌合させるための湾曲部を下方に膨出させて形成した支持枠と、該支持枠における前面の内側に横向きにして重積され、最下段に位置するものが上記湾曲部に嵌合せしめられた複数の土留用の棒材と、支持枠における底面の後端部に上記湾曲部への嵌合状態で横向きに載置され、土圧による支持枠の変移を防止する固定用の棒材と、からなる」
ものである。
【０００４】
この図１６に示したような従来の「土留柵」であれば、土留めの機能を発揮させることができるだけでなく、間伐材等の棒材を表面に露出させることができることから、各棒材自身の美しさによって、施工周囲の自然景観に合わせた美観を作り出すことができるものと考えられる。
【０００５】
しかしながら、この図１６に示した従来の「土留柵」は、複数の土留用の棒材を、「支持枠における前面の内側に横向きにして重積」しなければならず、また各棒材の内側には土を施工しなければならない筈であるから、その載置作業あるいは施工は、非常に手間と時間を要するのではないかと考えられる。何故なら、各棒材は、図１６に示したように傾斜している支持枠の内面に載置しなければならないから、これを施工中に落下しないように保持しなければならないからである。
【０００６】
以上の図１６に示した土留柵での不便さを解消しているものとして、例えば図１７に示したような「土留め柵」が提案されている。この土留め柵は、特許文献２にて提案されているものであって、図１６に示した「土留柵」と同様に、棒材を「枠体」の裏面側にて支持するものである。また、この土留め柵は、当該公報の実用新案登録請求の範囲の記載からすると、棒材は、「（枠体の）傾斜部の凹凸に掛止され、傾斜部の上下方向に一定間隔おきに複数載置される受け金具」にて受けられるようにしたものである。このため、各棒材を受け金具によって支持させておけば、当該「土留め柵」の施工やその内側への客土が容易に行えるものとなったと考えられる。
【０００７】
しかしながら、この図１７に示した従来の「土留め柵」も、次のような不便さがある。つまり、横方向に載置された各棒材の間には、これを支持していた受け金具が存在していて、施工後に、この受け金具による「隙間」が各棒材間に残存することになるのである。横方向に載置された棒材間に隙間が存在すれば、この隙間から土が零れ出ることは当然あり得るものであり、施工の仕方によって隙間が不揃いとなれば、美観に悪影響を及ぼすことにもなると考えられる。
【０００８】
そこで、本発明者は、間伐材等の表面材を使用して美観のある土留めを行うに当たって、土留めを確実に行えることは当然として、上述したような施工上の不便さがなく、しかも十分な美観を維持することのできる土留め枠とするにはどうしたらよいか、について種々検討を重ねてきた結果、本発明を完成したのである。
【０００９】
【特許文献１】実開昭６４−６５１号公報（実用新案登録請求の範囲）
【特許文献２】実開平２−４２９４２号（実用新案登録請求の範囲）
【００１０】
【発明が解決しようとする課題】
本発明は、この種の土留め枠における以上の経緯に基づいてなされたもので、その解決しようとする課題は、土留めを確実に行うことができて、施工も簡単であり、しかも美観の維持及び形成を良好に行うことのできる土留め枠、及びこれを使用した土留め工法を、簡単な構成によって提供することにある。
【００１１】
【課題を解決するための手段】
以上の課題を解決するために、まず、請求項１に係る発明の採った手段は、後述する実施の形態の説明中において使用する符号を付して説明すると、
「施工現場上に載置される載置部１１ａと、この載置部１１ａの前端から立ち上がって棒材や面材等の表面材２０を支持することになる立ち上がり部１１ｂとを有する複数のＬ型材１１と、
これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、
これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成したことを特徴とする土留め枠１０」
である。
【００１２】
すなわち、この土留め枠１０は、図１３または図１４に示すように、施工現場上に載置される載置部１１ａとこの載置部１１ａの前端から所定角度傾斜した状態で立ち上がる立ち上がり部１１ｂとを有する複数のＬ型材１１と、これらのＬ型材１１と同様な載置部１１ａ及び立ち上がり部１１ｂを有してはいるが、この立ち上がり部１１ｂがＬ型材１１のそれより所定寸法前方へ突出することになる複数の突出Ｌ型材１１Ａとを、互いに平行に載置した状態で連結横材１２によって連結したものである。これにより、この土留め枠１０においては、図２に示すように、各Ｌ型材１１の立ち上がり部１１ｂの前面と、各突出Ｌ型材１１Ａの立ち上がり部１１ｂの内面とで、間伐材等の棒材、あるいはブロック等の表面材２０が収納されるべき収納空間Ｒが形成されることになる。以下で詳述する実施形態にあっては、表面材２０として間伐材を採用しているから、収納空間Ｒの上方からみた幅はこの間伐材の太さ程度としたものである。
【００１３】
これらのＬ型材１１、突出Ｌ型材１１Ａ及び連結横材１２は、土留め用の部材としての強度を確保するため、及び溶接で簡単に接続できるようにするために、鋼材によって形成することが最もよいが、例えば木材や、鋼材をモールドした強化樹脂等の他の材料で形成してもよい。各載置部１１ａと連結横材１２との連結は、針金等によって行ってもよいし、上述したように溶接によって行ってもよい。
【００１４】
当該土留め枠１０の内側には、図２あるいは図６に示すように客土４０が入れられるものであるため、各Ｌ型材１１及び突出Ｌ型材１１Ａの載置部１１ａ、これらを連結する連結横材１２は施工現場上に載置され、かつアンカー１６や杭等によって位置決め固定される部分となる。このため、各載置部１１ａの内端等には、アンカー１６が挿通されるべき円環部を形成することもある。
【００１５】
一方、Ｌ型材１１や突出Ｌ型材１１Ａの立ち上がり部１１ｂは、土留めをすべき施工現場の傾斜面（法面）の傾斜角度を決定することになる部分であるから、上述した載置部１１ａに対して施工現場に応じた角度で傾斜したものとなっている。図１に示す例では、載置部１１ａが水平面上に載置されるものとした場合、載置部１１ａと立ち上がり部１１ｂとの角度を約９０度としたものであるが、この角度は、３０度〜９０度の範囲で自由に選定できる。
【００１６】
収納空間Ｒ内に収納されるべき表面材２０としては、種々なものが適用できるのであり、上述したような間伐材は勿論、その他の棒材、あるいは吸音構造を有したブロック、さらに図１２に示すような補強シート、土のう、種々なネットやパネル、ポット等が適用できる。後述する土留め工法では、当該土留め枠１０を護岸工事用のものとした場合を想定しており、間伐材として水に強い松材や杉材を採用している。また、新規造成の宅地の法面にあっては、表面材２０として、種々な模様を付したブロックが適しており、道路に沿った法面では、上述した吸音構造を有したブロックを採用するとよい。
【００１７】
表面材２０としては、図１〜図５に示した太鼓引き間伐材の他に、図１２に示すような補強シートも使用できる。この補強シートは、合成樹脂を材料としてパンチングメタルのような形状のものに形成したものであり、多数の穴を有したものである。この穴の形状は、図１２に示したような四角に限らず、円や楕円、あるいは菱形等、種々のものがある。
【００１８】
このような補強シートは、例えばＵ字状に折り曲げて上記収納空間Ｒ内に収納されるものであり、この収納空間Ｒ内にさらに収納空間を形成するように、その二つの面がＬ型材１１及び突出Ｌ型材１１Ａの各立ち上がり部１１ｂの内面に接触する状態で載置されるものである。そして、この表面材２０によって形成された空間内に、Ｕ字状となった表面材２０の上方開口から、例えば客土４０を行うのである。これにより、当該土留め枠１０を施工した後には、この補強シートが表面に現れることになるとともに、当該補強シート内に収納した客土４０によって土留め枠１０の表面を安定的に保護することになるものである。
【００１９】
以上のように、収納空間Ｒは、Ｌ型材１１及び突出Ｌ型材１１Ａの各立ち上がり部１１ｂによって形成されるものであるため、上方に開口したものとなっている。また、この収納空間Ｒを形成しているのは、直線状に立ち上がる立ち上がり部１１ｂであるため、図２に示すように、間伐材等の表面材２０を上方から収納したり、あるいは図８に示すように、表面材２０をこれに設けた挿通穴２１によって各立ち上がり部１１ｂに挿通したりするのに有利なように、何らの突起物もない状態となっている。このため、収納空間Ｒの上方開口からの表面材２０の収納または挿通は、これを単に落とし込むだけで完了するため、非常に簡単に行えるのである。この場合、直線状の立ち上がり部１１ｂは、各表面材２０の案内と位置決めを行うことになり、収納空間Ｒ内に落とし込まれた表面材２０を、図１に示すように、美麗に収めることになるのである。
【００２０】
また、収納空間Ｒ内に収納された複数の表面材２０は、多数の立ち上がり部１１ｂによってのみ支えられているのであるから、図１７に示した従来技術におけるような挟雑物は何もない。このため、各表面材２０間は完全に密着した状態となっていて、図１に示すように、密着し合った各表面材２０によって美しい壁面が形成されることになるのである。勿論、各表面材２０間には隙間がないのであるから、当該土留め枠１０の施工後において内側に投入される客土４０が前面側に漏れ出ることも全くないのである。
【００２１】
従って、以上のように構成した土留め枠１０は、これを施工現場に載置して形成されている収納空間Ｒ内に表面材２０を単に挿入し、その内側に客土４０を行うだけで、法面や崖等の盛り土周囲の土留めを簡単に行えるだけでなく、この土留め後の法面表面の装飾を、収納空間Ｒ内に表面材２０を単に収納するだけで簡単に行えるのであり、法面等の土留めが確実に行え、施工も簡単であり、しかも土留め施工を行った場所の美観の維持及び形成を良好に行えるのである。
【００２２】
上記課題を解決するために、請求項２に係る発明の採った手段は、上記請求項１に記載の土留め枠１０について、
「突出Ｌ型材１１Ａを構成している立ち上がり部１１ｂと、Ｌ型材１１の立ち上がり部１１ｂ、またはこの立ち上がり部１１ｂを互いに連結している横連結部材１１ｃとを連結するための前後連結部材１３を備えたこと」
である。
【００２３】
すなわち、この請求項２の土留め枠１０は、Ｌ型材１１及び突出Ｌ型材１１Ａの各立ち上がり部１１ｂによって形成した収納空間Ｒが、表面材２０施工後に広がってしまわないようにしたものであり、そのために、突出Ｌ型材１１Ａを構成している立ち上がり部１１ｂと、Ｌ型材１１の立ち上がり部１１ｂ、またはこの立ち上がり部１１ｂを互いに連結している横連結部材１１ｃとを前後連結部材１３によって連結できるようにしたものである。
【００２４】
勿論、この前後連結部材１３は、収納空間Ｒ内に表面材２０を収納した後に使用されるものであり、突出Ｌ型材１１Ａを構成している立ち上がり部１１ｂと、Ｌ型材１１の立ち上がり部１１ｂ、またはこの立ち上がり部１１ｂを互いに連結している横連結部材１１ｃとにそれぞれ連結されるものである。この場合、この前後連結部材１３は、図４及び図５に示すように、最上段の表面材２０を跨ぐようにして連結されることもあるし、図８及び図９に示すように、最上段の表面材２０の下側を通して連結されることもあるものである。また、この前後連結部材１３は、鋼材によって収納空間Ｒの平面からみた幅程度の長さのものとして予め用意されたものであってもよいが、針金を施工現場の状況に合わせて使用するようにしたものであってもよい。
【００２５】
従って、この請求項２に係る土留め枠１０は、収納空間Ｒが表面材２０施工後に広がってしまわないようにすることができるだけでなく、法面等の土留めが確実に行え、施工も簡単であり、しかも土留め施工を行った場所の美観の維持及び形成を良好に行えるのである。
【００２６】
また、上記課題を解決するために、請求項３に係る発明の採った手段は、上記請求項１に記載の土留め枠１０について、
「突出Ｌ型材１１Ａを、その各立ち上がり部１１ｂの上端を互いに連結する横連結部材１１ｃを有したものとし、この横連結部材１１ｃと、Ｌ型材１１の立ち上がり部１１ｂ、またはこの立ち上がり部１１ｂを互いに連結している横連結部材１１ｃとを連結するための前後連結部材１３を備えたこと」
である。
【００２７】
すなわち、この請求項３に記載の土留め枠１０も、収納空間Ｒが表面材２０施工後に広がってしまわないようにするものであるが、前後連結部材１３の連結をより簡単に行えるようにするためと、各突出Ｌ型材１１Ａの載置部１１ａの互いの一体化を確実にするために、まず、突出Ｌ型材１１Ａの各立ち上がり部１１ｂの上端を、図４及び図５に示すように、横連結部材１１ｃによって互いに連結するようにしたものである。
【００２８】
このような横連結部材１１ｃが表面材２０の前面で横方向に長く存在すれば、上記前後連結部材１３の連結を行う場所の確保が簡単になるだけでなく、前後連結部材１３の連結個所を多くすることもできるのである。
【００２９】
従って、この請求項３に係る土留め枠１０も、収納空間Ｒが表面材２０施工後に広がってしまわないようにすることができるだけでなく、法面等の土留めが確実に行え、施工も簡単であり、しかも土留め施工を行った場所の美観の維持及び形成を良好に行えるのである。
【００３０】
上記課題を解決するために、請求項４に係る発明の採った手段は、請求項１〜請求項３のいずれかに記載の土留め枠１０について、
「各連結横材１２の少なくとも一端を、側端に位置するＬ型材１１より外方に突出させたこと」
である。
【００３１】
この土留め枠１０は、そのままで図１等に示した施工を行えるものではあるが、特に、崖や法面の隅角部に載置することを想定したものである。つまり、当該土留め枠１０は、横方向に連続して載置される場合だけではなく、法面等の隅角部に載置しなければならない場合もある。そして、二つの土留め枠１０を、平面からみて略Ｌ字状となるように連続させなければならない場合もある。
【００３２】
このような場合には、図１１に示すように、Ｌ字を構成する二つの土留め枠１０の端部（具体的には最外端に位置する各Ｌ型材１１）から、立ち上がり部１１ｂに固定した連結横材１２を互いに突出させて、これら連結横材１２の突出部分を略Ｌ字に合わせて、針金で縛るか、互いに溶接等の手段によって連結するのである。このようにすれば、法面等の隅角部を囲む二つの土留め枠１０は、各連結横材１２の突出部分でしっかりと連結され、しかも隅角部を綺麗に仕上げることができるのである。
【００３３】
従って、この請求項４の土留め枠１０は、上記請求項１〜３のそれと同様な機能を発揮する他、特に、法面等の隅角部における土留めの補強を行え、かつ当該隅角部を美麗に仕上げることができるのである。
【００３４】
さらに、上記課題を解決するために、請求項５に係る発明の採った手段は、上記請求項１〜請求項４のいずれかに記載の土留め枠１０について、
「各Ｌ型材１１を構成している立ち上がり部１１ｂの上端と、載置部１１ａまたは連結横材１２とを互いに連結する斜め連結部材１４を備えたこと」
である。
【００３５】
すなわち、この請求項５に係る土留め枠１０は、各Ｌ型材１１の立ち上がり部１１ｂの補強を行えるようにしたものであり、そのために、図２及び図６に示すように、各Ｌ型材１１を構成している立ち上がり部１１ｂの上端と、載置部１１ａまたは連結横材１２とを斜め連結部材１４によって互いに連結したのである。各立ち上がり部１１ｂの載置部１１ａに対する傾斜角度の維持は、Ｌ型材１１を鋼材によって形成すればほぼ十分なものとなるのであるが、本発明に係る土留め枠１０では、これを斜め連結部材１４によってより確実となるようにしたものである。
【００３６】
この斜め連結部材１４が存在することによって、土留め枠１０を構成しているＬ型材１１の立ち上がり部１１ｂが土圧によって前方に広がろうとしても、その土圧が当該斜め連結部材１４を介して各Ｌ型材１１を構成している立ち上がり部１１ｂの上端に掛けられることになるから、立ち上がり部１１ｂが前方に広がることは無くなるのである。
【００３７】
従って、この請求項５の土留め枠１０は、請求項１〜請求項４に記載の土留め枠１０と同様な機能を発揮するだけでなく、各立ち上がり部１１ｂの前方への広がりを斜め連結部材１４によっても確実に防止できるのである。
【００３８】
上記課題を解決するために、請求項６に係る発明の採った手段は、上記請求項１〜請求項５のいずれかに記載の土留め枠１０について、
「突出Ｌ型材１１Ａの、連結横材１２またはＬ型材１１に対する連結部分において、当該突出Ｌ型材１１Ａの突出量を変更可能に連結したこと」
である。
【００３９】
すなわち、この請求項６に係る土留め枠１０は、各突出Ｌ型材１１Ａの、連結横材１２またはＬ型材１１に対する連結を固定的なものとしたのではなく、例えば、図１５に示すような突出量調整材１５によって必要に応じてある程度自在に動かし得るようにしたのである。
【００４０】
もし、突出Ｌ型材１１Ａが固定的であると、使用すべき表面材２０の仕様が限定されてしまうだけでなく、図１３及び図１４に示すように、収納空間Ｒが存在したままの状態となるから、梱包や運搬に不便となり得る。そこで、この請求項６の土留め枠１０では、突出Ｌ型材１１Ａの、連結横材１２またはＬ型材１１に対する連結部分において、例えば図１５に示すような突出量調整材１５を使用して、当該突出Ｌ型材１１Ａの突出量を変更可能に連結したのである。
【００４１】
各突出Ｌ型材１１Ａの突出量を変更可能に連結するには、図１５に示すような突出量調整材１５を採用するのが最も簡便である。この突出量調整材１５は単なるパイプであり、これをＬ型材１１の載置部１１ａに連結するか溶接しておき、この突出量調整材１５内に突出Ｌ型材１１Ａの載置部１１ａを出入自在に挿入しておけばよいのである。なお、後述する実施形態の突出量調整材１５では、これに挿通した載置部１１ａの内端にナット等の固定部材１５ａを連結して、当該載置部１１ａの抜け止めと、突出Ｌ型材１１Ａの所定位置までの引き出しを行えるようにしてある。勿論、ナットに代えて、載置部１１ａの内端を単に潰したり、Ｌ型に折曲するだけでも良い。
【００４２】
従って、この請求項６の土留め枠１０は、上記請求項１〜請求項５のいずれかに記載の土留め枠１０と同様な機能を発揮することは勿論、当該土留め枠１０を梱包したり運搬したりする場合に、各突出Ｌ型材１１Ａの、Ｌ型材１１に対する突出をなくすことができて、横からみた状態が一つの完全なＬ字状となるようにすること、つまり収納空間Ｒを無くすことができ、効率の良い梱包や運搬ができるものとなっているのである。
【００４３】
上記課題を解決するために、請求項７に係る発明の採った手段は、上記請求項１〜請求項６のいずれかに記載の土留め枠１０について、
「収納空間Ｒは、表面材２０の全体を収納できるようにしたものであること」である。
【００４４】
すなわち、この請求項７の土留め枠１０は、図２、図４及び図５に示すように、その収納空間Ｒ内に、表面材２０の全体を収納できるようにしたものである。換言すれば、この土留め枠１０においては、Ｌ型材１１側の立ち上がり部１１ｂと、突出Ｌ型材１１Ａ側の立ち上がり部１１ｂとで形成した収納空間Ｒ内に表面材２０の全体を収納するようにするものである。
【００４５】
従って、この請求項７に係る土留め枠１０は、これを施工現場に載置して形成されている収納空間Ｒ内に表面材２０を単に挿入し、その内側に客土４０を行うだけで、法面や崖等の盛り土周囲の土留めを簡単に行えるだけでなく、この土留め後の法面表面の装飾を収納空間Ｒ内に収納した表面材２０によって行えるのであり、法面等の土留めが確実に行え、施工も簡単であり、しかも土留め施工を行った場所の美観の維持及び形成を良好に行えるのである。
【００４６】
また、上記課題を解決するために、請求項８に係る発明の採った手段は、上記請求項１〜請求項６のいずれかに記載の土留め枠１０について、
「各突出Ｌ型材１１Ａの立ち上がり部１１ｂには、表面材２０がこれに形成してある挿通穴２１にて挿通されるものであり、収納空間Ｒは、表面材２０の一部を収納できるようにしたものであること」
である。
【００４７】
すなわち、この請求項８の土留め枠１０は、上記請求項７のそれとは異なって、図７及び図８に示すように、その収納空間Ｒ内に表面材２０の一部を収納するようにしたものであり、表面材２０の表面全体を施工後の法面に露出させるようにしたものである。
【００４８】
つまり、この請求項８の土留め枠１０は、図１０の（イ）または（ロ）に示すように、中心に長穴（ホゾ穴）または単なる丸穴からなる挿通穴２１が形成してある表面材２０（間伐材）を使用できるようにしたものであり、各突出Ｌ型材１１Ａの立ち上がり部１１ｂまたはこれに連結してある横連結部材１１ｃには、図８に示すように、各表面材２０がこれに形成してある挿通穴２１にて挿通されるものである。このようにすることによって、当該土留め枠１０の施工後においては、法面の表面全体が各表面材２０の表面そのものとなるのであり、例えば図１に示しているような突出Ｌ型材１１Ａの一部が見えると言うようなことはなくなるものである。
【００４９】
従って、この請求項８に係る土留め枠１０は、これを施工現場に載置して形成されている収納空間Ｒ内に表面材２０の一部を収納し、その内側に客土４０を行うだけで、法面や崖等の盛り土周囲の土留めを簡単に行えるだけでなく、この土留め後の法面表面の装飾を表面材２０の美しさを十分利用して行えるのであり、法面等の土留めが確実に行え、施工も簡単であり、しかも土留め施工を行った場所の美観の維持及び形成を良好に行えるのである。
【００５０】
そして、上記課題を解決するために、請求項９に係る発明の採った手段は、上記請求項１〜請求項８のいずれかに記載の土留め枠１０について、
「各Ｌ型材１１の立ち上がり部１１ｂを、突出Ｌ型材１１Ａのそれよりも短くしたこと」
である。
【００５１】
すなわち、この請求項９に係る土留め枠１０は、図７〜図９に示すように、各Ｌ型材１１の立ち上がり部１１ｂを、突出Ｌ型材１１Ａのそれよりも短くしたものであり、これにより、最上段となる表面材２０の内側に、何らの突出物もないようにするものである。
【００５２】
本発明に係る土留め枠１０は、これを上下に積んで、ある法面を段差のない平らなものとする場合には何等問題となることはないのであるが、図２及び図７に示すように、上下に載置される各土留め枠１０を遊歩道となる程度の幅でズラせた場合に、もし、１つの土留め枠１０について、Ｌ型材１１側の立ち上がり部１１ｂの上端が突出Ｌ型材１１Ａ側の立ち上がり部１１ｂの上端と一致していたとすると、Ｌ型材１１側の立ち上がり部１１ｂの上端がこの遊歩道上に露出する。
【００５３】
その点、この請求項９に係る土留め枠１０は、図７〜図９に示すように、各Ｌ型材１１の立ち上がり部１１ｂを、突出Ｌ型材１１Ａのそれよりも短くしたものであるから、Ｌ型材１１側の立ち上がり部１１ｂの上端がこの遊歩道上に露出することはなくなる。
【００５４】
従って、この請求項９の土留め枠１０は、上記請求項１〜８のそれと同様な機能を発揮する他、図１に示すように、後方へズラせながら積んだとしても、Ｌ型材１１側の立ち上がり部１１ｂの上端を露出させることはなく、例えば遊歩道表面を完全な平らなものにすることができるのである。
【００５５】
さて、上記課題を解決するために、請求項１０に係る発明の採った手段は、
「施工現場上に載置される載置部１１ａと、この載置部１１ａの前端から立ち上がって棒材や面材等の表面材２０を支持することになる立ち上がり部１１ｂとを有する複数のＬ型材１１と、これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成した土留め枠１０を使用する土留め工法であって、
当該土留め枠１０を施工現場上に載置した後、各載置部１１ａの後端部を施工現場上にアンカー１６や杭等の固定部材によって固定することにより当該土留め枠１０全体を施工現場上に固定し、
固定された土留め枠１０の収納空間Ｒ内に表面材２０を横方向に順次収納するとともに、当該土留め枠１０内側に客土４０を行うようにしたことを特徴とする土留め工法」
である。
【００５６】
すなわち、この土留め工法は、上記請求項１〜請求項９のいずれかの土留め枠１０を採用して行うものであり、各土留め枠１０を施工現場の所定位置に載置する。また、図１に示すように法面等が高い場合には、図２にも示すように、各土留め枠１０の載置及び当該土留め工法を順次下側から行っていけばよい。
【００５７】
まず、一段目の土留め枠１０を施工現場上に載置する。この場合、法面の隅角部においては、請求項４に係る土留め枠１０を採用するとよく、また図１に示すような横方向に長い部分については、連結横材１２が突出していないものを使用すると良い。この土留め枠１０の載置後、各載置部１１ａを施工現場上にアンカー１６や杭等の固定部材によって固定することにより当該土留め枠１０全体を施工現場上に固定する。ここで、土留め枠１０が請求項６に係るものであった場合には、各突出Ｌ型材１１Ａを前方に引き出して、収納空間Ｒを確保するようにする。
【００５８】
その後、固定された土留め枠１０の収納空間Ｒ内に、図１から図６に示すように、表面材２０を横方向に順次収納するとともに、図２に示すように、当該土留め枠１０内側に客土４０を行うのである。この場合、土留め枠１０が請求項２〜請求項９のいずれかに係るものにあっては、突出Ｌ型材１１Ａの上端側と、Ｌ型材１１の上端側とを前後連結部材１３によって連結する。これにより、表面材２０の収納空間Ｒ内での固定が確実に行われる。
【００５９】
また、この土留め工法は、通常の陸地での施工は勿論、河川の岸や湖岸あるいは海岸の保護を行うにあたっても採用されるものである。例えば、河川の護岸を行う場合には、図６に例示するように、まず最下段の土留め枠１０の下側に魚巣ブロック３３を載置する。この魚巣ブロック３３は、河川のビオトープを形成するための魚や水性動物の隠れ家となる空所を有したものであり、その上に上記土留め枠１０による当該土留め工法を行っていけばよい。そして、波に洗われることになる表面材２０として、腐食しにくい松材の間伐材を使用すると、恒久的な護岸を形成できることになる。
【００６０】
従って、この請求項１０に係る土留め工法によれば、見た目にも美しく、耐久性にも優れた土留めを施工することができるのである。
【００６１】
また、上記課題を解決するために、請求項１１に係る発明の採った手段は、上記請求項１０の土留め工法について、
「土留め枠１０を載置するにあたって、その下側に平らな補強材を敷設してから行うようにしたこと」
である。
【００６２】
すなわち、この土留め工法は、土留め枠１０を施工現場上に載置するにあたって、図２及び図６に示すように、整地した施工現場上に補強材、つまり補強シート３０を敷くようにするものである。この補強シート３０を施工しておくことにより、土留め枠１０、ひいては客土４０のズレ防止と、この客土４０からの雨水等の排水を行うことができる。
【００６３】
従って、この請求項１１の土留め工法は、上記請求項１０と同様な施工が行えることは当然として、完成後の土留めを補強材である補強シート３０によって確実なものとすることができるのである。
【００６４】
さらに、請求項１２に係る発明の採った手段は、上記請求項１０または請求項１１に記載の土留め工法について、
「施工現場上に固定された土留め枠１０の少なくとも内側に、客土４０の漏れ出を防止する平らな漏出防止材を、客土４０作業前に敷設するようにしたこと」である。
【００６５】
つまり、後述する実施の形態では、漏出防止材として、図２にも示す壁面シート３１を採用するようにしたものであり、この壁面シート３１により収納空間Ｒ内に収納された表面材２０の隙間から、雨水等によって客土４０の漏出を防止するものである。
【００６６】
そして、請求項１３に係る発明の採った手段は、上記請求項１０〜請求項１２のいずれかに記載の土留め工法について、
「突出Ｌ型材１１Ａは、連結横材１２またはＬ型材１１に対する連結部分において、当該突出Ｌ型材１１Ａの突出量が変更可能にしてあること」
である。
【００６７】
すなわち、この請求項１３の土留め工法は、上記請求項６の土留め枠１０を使用するものであり、これにより、施工前の土留め枠１０の保管や運搬を効率よく行えるのであり、結果として、土留め工法そのものをより効率化できるのである。
【００６８】
【発明の実施の形態】
次に、上記のように構成した各請求項に係る発明を、図１〜図６に示した第一実施例と、図７〜図９に示した第二実施例とに係る土留め枠１０、及びその施工状況について説明するが、これらの土留め枠１０及び施工状況は、上記各発明の全てを含むものである。
【００６９】
（第一実施例）
図１には、本発明に係る土留め枠１０を使用して、法面あるいは傾斜面の保護を行った状態の斜視図が示してあり、この保護は、同じく本発明に係る土留め工法を採用して施工したものである。また、この施工例では、各立ち上がり部１１ｂが略垂直に立ち上がる土留め枠１０の合計３段を、少しずつ後退させながら積んだものである。そして、この施工例では、表面材２０として、松材の間伐材を使用したものであるが、各表面材２０は、木口面からみた上下両面を切り落とした、所謂「太鼓引き」したものであり、これにより、各表面材２０が上下に密着状態で載置され得るようにしてある。
【００７０】
この図１に示した施工例において、その縦断面を採ってみると、図２に示す通りである。すなわち、まず整地された施工現場上に、土留め枠１０ひいてはその内側に打設される客土４０のズレ防止機能と、客土４０内からの雨水等の排水機能をも有する補強シート３０を敷き、その上に本発明に係る最下段の土留め枠１０を所定位置に載置して位置決めする。そして、この土留め枠１０を構成しているＬ型材１１等をアンカー１６によって施工現場上に固定し、当該土留め枠１０が動かないようにする。
【００７１】
この土留め枠１０の基本構成は、図１３及び図１４に示したように施工現場上に載置される載置部１１ａと、この載置部１１ａの前端から立ち上がって棒材や面材等の表面材２０を支持することになる立ち上がり部１１ｂとを有する複数のＬ型材１１と、これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成したことである。
【００７２】
この土留め枠１０の構成部材であるＬ型材１１、突出Ｌ型材１１Ａ及び連結横材１２は、鋼棒材を利用するのがよく、連結横材１２による連結は、溶接であっても、針金で縛るようにしてもよい。いずれにしても、当該土留め枠１０によって土留めが完了すれば、この土留め枠１０は客土４０中に埋設されたままとなるから、各鋼棒材に塗装を行ったり、合成樹脂による被覆を行ったりして、防錆を施すとよい。
【００７３】
さらに、複数のＬ型材１１の各立ち上がり部１１ｂ、及び突出Ｌ型材１１Ａの各立ち上がり部１１ｂの上端を、図１、図１３あるいは図１４に示したように、横連結部材１１ｃによって連結すると、収納空間Ｒの形成を確実にすることができる。勿論、この横連結部材１１ｃとしては、連続した鋼棒材を「コ」の字に曲げた中央部をそのまま利用してもよいし、図１３及び図１４に示したように、別の棒部材を用意して、これを各Ｌ型材１１または突出Ｌ型材１１Ａの立ち上がり部１１ｂの上端に固定するようにしたものであってもよい。
【００７４】
また、この土留め枠１０において、各Ｌ型材１１及び突出Ｌ型材１１Ａを、収納空間Ｒを形成する状態で連結横材１２によって完全に連結固定しておくこともあるが、図１５に示したように、突出Ｌ型材１１Ａの、連結横材１２またはＬ型材１１に対する連結部分において、当該突出Ｌ型材１１Ａの突出量を変更可能に連結したこともなされる。その場合、Ｌ型材１１または連結横材１２に筒体等の突出量調整材１５を固定しておいて、この突出量調整材１５に突出Ｌ型材１１Ａの載置部１１ａを挿通し、この載置部１１ａの端部にナット等の固定部材１５ａを取り付けて抜け止めを行うようにするとよい。この抜け止めは、載置部１１ａの内端を単に潰すだけでもよい。
【００７５】
この土留め枠１０は、法面等の隅角部に載置しなければならない場合もあるが、そのような場合には、二つの土留め枠１０を、平面からみて略Ｌ字状となるように連続させなければならない。このような場合には、図１１に示したように、Ｌ字を構成する二つの土留め枠１０を構成している各立ち上がり部１１ｂに固定した連結横材１２の少なくとも一端を、側端に位置するＬ型材１１より外方に突出させて、これら連結横材１２の突出部分をＬ字に合わせて針金で縛るか、互いに溶接等の手段によって連結するのである。このようにすれば、法面等の隅角部を囲む二つの土留め枠１０は、各連結横材１２の突出部分でしっかりと連結され、しかも隅角部を綺麗に仕上げることができるのである。
【００７６】
このようにした土留め枠１０は、上記と同様な機能を発揮する他、特に、法面等の隅角部における土留めの補強を行え、かつ当該隅角部を美麗に仕上げることができるのである。
【００７７】
以上のような１段目の土留め枠１０の載置が完了すれば、図２に示したように、太鼓引きした間伐材や角材、あるいはブロック等の表面材２０を収納空間Ｒ内に収納するのである。この表面材２０は、文字通り、土留めした斜面の表装を行うものであり、間伐材や角材の表面の美しさをそのまま利用するものである。勿論、吸音のための凹凸を表面に形成したブロックや、表面に装飾を施したブロックを使用すれば、突出Ｌ型材１１Ａの立ち上がり部１１ｂは、図１にも示したように表面をそれ程多く覆うものではないから、表面材２０による装飾を確実に発揮させることができるのである。
【００７８】
表面材２０としては、図１〜図６に示した太鼓引き間伐材の他に、図１２に示すような補強シートも使用できる。この補強シートは、合成樹脂を材料としてパンチングメタルのような形状のものに形成したものであり、多数の穴を有したものである。この穴の形状は、図１２に示したような四角に限らず、円や楕円、あるいは菱形等、種々のものがある。
【００７９】
このような補強シートは、例えばＵ字状に折り曲げて上記収納空間Ｒ内に収納されるものであり、この収納空間Ｒ内にさらに収納空間を形成するように、その二つの面がＬ型材１１及び突出Ｌ型材１１Ａの立ち上がり部１１ｂの内面に接触する状態で載置されるものである。そして、この表面材２０によって形成された空間内に、Ｕ字状となった表面材２０の上方開口から、例えば客土４０を行うのである。これにより、当該土留め枠１０を施工した後には、この補強シートが表面に現れることになるとともに、当該補強シート内に収納した客土４０によって土留め枠１０の表面を安定的に保護することになるものである。
【００８０】
図１〜図５に示した土留め枠１０においては、その収納空間Ｒ内に、表面材２０の全体を収納するようにしているが、これが請求項７に係る土留め枠１０である。
【００８１】
すなわち、この土留め枠１０は、図２、図４及び図５に示すように、その収納空間Ｒ内に、表面材２０の全体を収納できるようにしたものである。換言すれば、この土留め枠１０においては、Ｌ型材１１側の立ち上がり部１１ｂと、突出Ｌ型材１１Ａ側の立ち上がり部１１ｂとで形成した収納空間Ｒ内に表面材２０の全体を収納するようにするものである。
【００８２】
このようにした土留め枠１０は、これを施工現場に載置して形成されている収納空間Ｒ内に表面材２０を単に挿入し、その内側に客土４０を行うだけで、法面や崖等の盛り土周囲の土留めを簡単に行えるだけでなく、この土留め後の法面表面の装飾を収納空間Ｒ内に収納した表面材２０によって行えるのであり、法面等の土留めが確実に行え、施工も簡単であり、しかも土留め施工を行った場所の美観の維持及び形成を良好に行えるのである。
【００８３】
収納空間Ｒ内への表面材２０の投入後に、この収納空間Ｒが広がらないようにする必要がある場合には、Ｌ型材１１側の立ち上がり部１１ｂと、突出Ｌ型材１１Ａ側の立ち上がり部１１ｂとを前後連結部材１３によって連結することがある。この前後連結部材１３は、収納空間Ｒの平面から見た幅に応じた長さの金属棒材であったり、番線等の太い金属線材であったりするが、いずれにしても、この前後連結部材１３は、突出Ｌ型材１１Ａを構成している立ち上がり部１１ｂの上端と、Ｌ型材１１の立ち上がり部１１ｂ、またはこの立ち上がり部１１ｂを互いに連結している横連結部材１１ｃとを連結するものである。
【００８４】
また、この前後連結部材１３は、突出Ｌ型材１１Ａを、その各立ち上がり部１１ｂの上端を互いに連結する横連結部材１１ｃを有したものとしておき、この横連結部材１１ｃと、Ｌ型材１１の立ち上がり部１１ｂ、またはこの立ち上がり部１１ｂを互いに連結している横連結部材１１ｃとを連結することにもなるものである。
【００８５】
上述した収納空間Ｒ内への表面材２０の挿入は、当該土留め枠１０の内側への客土４０投入後に行ってもよい。この客土４０の投入を行うに当たって、本実施形態ではＬ型材１１の各立ち上がり部１１ｂの裏面側に、図２に示したように、壁面シート３１を載置することがなされる。この壁面シート３１は、客土４０が表面材２０から漏れ出ないようにするものであり、客土４０投入前に適宜なひもやフック等で、載置部１１ａや立ち上がり部１１ｂに固定される。
【００８６】
収納空間Ｒ内へ挿入される表面材２０には、図１０の（イ）に示すように、中心に長穴（ホゾ穴）からなる挿通穴２１が形成してあることもあるし、図１０の（ロ）に示すように、中心に単なる丸穴からなる挿通穴２１が形成してあることもある。
挿通穴２１が長穴である場合には、図１０の（イ）に示すように、この挿通穴２１内には各立ち上がり部１１ｂを連結している横連結部材１１ｃが挿入されるのであるし、挿通穴２１が丸穴である場合には、図１０の（ロ）に示すように、この挿通穴２１内には各立ち上がり部１１ｂの上端部がそのまま挿通されることになるものである。
【００８７】
本実施形態の施工では、図２に示したように、収納空間Ｒ内への表面材２０の挿入、及び土留め枠１０背面への客土４０の投入が済んだ後に、客土４０の露出面に植生を施すための植生張芝３２を敷設する。この植生張芝３２は、布状物に、植生植物の種子や肥料等を添加したものである。
【００８８】
以上の行程を必要回数（図１に示した例では３回）繰り返せば、施工現場の土留めが完成するのであり、完成後には、図１に示すように、美麗な構造物となるのである。
【００８９】
また、土留め枠１０の載置を完了して、その収納空間Ｒ内への表面材２０の挿入、及び土留め枠１０背面への客土４０の投入が完全に終了した後に、その全体表面に緑化植生基材の吹き付けを行うようにしてもよい。この場合には、表面材２０の表面全体の緑化を行うことができる。
【００９０】
（第二実施例）
図７〜図９には、本発明の第二実施例に係る土留め枠１０が示してあるが、この土留め枠１０は、主として請求項８または請求項９に該当するものである。この第二実施例に係る土留め枠１０では、以下に述べる点以外は、上記の第一実施例と同様であるので、第一実施例と共通する部分については、前述した符号を各図面中に付すことによって、その詳細説明は省略する。
【００９１】
すなわち、この第二実施例の土留め枠１０においては、図７及び図８に示したように、各突出Ｌ型材１１Ａの立ち上がり部１１ｂに、表面材２０がこれに形成してある挿通穴２１にて挿通されることになるものであり、その結果、収納空間Ｒ内には、表面材２０の一部が収納されることになるのである。つまり、この土留め枠１０は、図７及び図８に示すように、その収納空間Ｒ内に表面材２０の一部を収納するようにしたものであり、表面材２０の表面全体を施工後の法面に露出させるようにしたものである。
【００９２】
換言すれば、この土留め枠１０は、図８に示したように、中心に挿通穴２１が形成してある表面材２０（間伐材）を使用できるようにしたものであり、各突出Ｌ型材１１Ａの立ち上がり部１１ｂには、各表面材２０がこれに形成してある挿通穴２１にて挿通されるものである。このようにすることによって、当該土留め枠１０の施工後においては、法面の表面全体が各表面材２０の表面そのものとなるのであり、例えば図１に示しているような突出Ｌ型材１１Ａの一部が見えると言うようなことはなくなるものである。
【００９３】
従って、この土留め枠１０は、これを施工現場に載置して、各突出Ｌ型材１１Ａの立ち上がり部１１ｂに各表面材２０に形成してある挿通穴２１を挿通させて収納空間Ｒ内に表面材２０の一部を収納してから、その内側に客土４０を行うだけで、法面や崖等の盛り土周囲の土留めを簡単に行えるだけでなく、この土留め後の法面表面の装飾を表面材２０の美しさを十分利用して行えるのであり、法面等の土留めが確実に行え、施工も簡単であり、しかも土留め施工を行った場所の美観の維持及び形成を良好に行えるものなのである。
【００９４】
また、この土留め枠１０は、図７〜図９に示したように、その各Ｌ型材１１の立ち上がり部１１ｂを、突出Ｌ型材１１Ａのそれよりも短くして形成されるものである。すなわち、この第二実施例に係る土留め枠１０は、各Ｌ型材１１の立ち上がり部１１ｂを、突出Ｌ型材１１Ａのそれよりも短くしたものであり、これにより、最上段となる表面材２０の内側に、何らの突出物もないようにしたものである。
【００９５】
本発明に係る土留め枠１０は、これを上下に積んで、ある法面を段差のない平らなものとする場合には何等問題となることはないのであるが、図２及び図７に示すように、順に上方に載置される各土留め枠１０を遊歩道となる程度の幅で後方にズラせた場合に、もし、１つの土留め枠１０について、Ｌ型材１１側の立ち上がり部１１ｂの上端が突出Ｌ型材１１Ａ側の立ち上がり部１１ｂの上端と一致していたとすると、Ｌ型材１１側の立ち上がり部１１ｂの上端がこの遊歩道上に露出する可能性がでてくる。また、各段において、各土留め枠１０の内側に客土４０をした後に壁面シート３１をその客土４０上面に折り曲げることになるのであるが、その折り曲げを強く行えば、Ｌ型材１１側の立ち上がり部１１ｂの上端の露出は避けられない。
【００９６】
その点、この第二実施例に係る土留め枠１０は、図７〜図９に示したように、各Ｌ型材１１の立ち上がり部１１ｂを、突出Ｌ型材１１Ａのそれよりも短くしたものであるから、Ｌ型材１１側の立ち上がり部１１ｂの上端がこの遊歩道上に露出することはなくなる。勿論、各段において、客土４０をした後に壁面シート３１をその客土４０上面側に大きくかつ強く折り曲げても、Ｌ型材１１側の立ち上がり部１１ｂの上端が露出することはないのである。
【００９７】
【発明の効果】
以上詳述した通り、請求項１〜請求項９に係る土留め枠１０は、上記実施形態にて例示した如く、
「施工現場上に載置される載置部１１ａと、この載置部１１ａの前端から立ち上がって棒材や面材等の表面材２０を支持することになる立ち上がり部１１ｂとを有する複数のＬ型材１１と、
これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、
これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成したこと」
にその主たる構成上の特徴があり、これにより、土留めを確実に行うことができて、施工も簡単であり、しかも美観の維持及び形成を良好に行うことのできる土留め枠１０を、簡単な構成によって提供することができるのである。
【００９８】
また、請求項１０〜請求項１３に係る土留め工法では、
「施工現場上に載置される載置部１１ａと、この載置部１１ａの前端から立ち上がって棒材や面材等の表面材２０を支持することになる立ち上がり部１１ｂとを有する複数のＬ型材１１と、これらのＬ型材１１の各立ち上がり部１１ｂと略平行でこれより前方に突出する立ち上がり部１１ｂと、この立ち上がり部１１ｂの下端に一体化された載置部１１ａとを有する複数の突出Ｌ型材１１Ａとを備え、これらの突出Ｌ型材１１Ａ及びＬ型材１１を連結横材１２によって互いに連結することにより、突出Ｌ型材１１ＡとＬ型材１１との各立ち上がり部１１ｂの間に、表面材２０の複数を横にして収納できる収納空間Ｒを形成した土留め枠１０を使用する土留め工法であって、
当該土留め枠１０を施工現場上に載置した後、各載置部１１ａの後端部を施工現場上にアンカー１６や杭等の固定部材によって固定することにより当該土留め枠１０全体を施工現場上に固定し、
固定された土留め枠１０の収納空間Ｒ内に表面材２０を横方向に順次収納するとともに、当該土留め枠１０内側に客土４０を行うようにしたこと」
にその主たる構成上の特徴があり、これにより、土留めを確実に行うことができて、施工も簡単であり、しかも美観の維持及び形成を良好に行うことのできる土留め工法を提供することができるのである。
【図面の簡単な説明】
【図１】本発明に係る土留め枠及び土留め工法を使用して土留めが完成された斜面を示す斜視図である。
【図２】図１に示した斜面の要部縦断面図である。
【図３】図１に示した斜面の正面図である。
【図４】本発明に係る１個の土留め枠の収納空間内に表面材を収納した状態を示すもので、前面側からみた斜視図である。
【図５】本発明に係る１個の土留め枠の収納空間内に表面材を収納した状態を示すもので、後面側からみた斜視図である。
【図６】同土留め枠を護岸用に使用した例を示す縦断面図である。
【図７】本発明の第二実施例に係る土留め枠及び土留め工法を使用して土留めが完成された斜面の要部縦断面図である。
【図８】同要部拡大縦断面図である。
【図９】本発明の第二実施例に係る土留め枠の側面図である。
【図１０】表面材に形成される挿通穴と、これが挿通されるべきものとの関係を示すもので、（イ）は挿通穴が横連結部材が挿通できる長穴である場合を、（ロ）は挿通穴が立ち上がり部が挿通できる丸穴である場合をそれぞれ示す斜視図である。
【図１１】各連結横材の端部を最外端のＬ型材から突出させて、これを互いに連結した状態を示す部分平面図である。
【図１２】表面材として採用される補強シートの部分平面図である。
【図１３】長尺な横連結部材を使用して各立ち上がり部を連結した土留め枠の斜視図である。
【図１４】Ｌ型材と突出Ｌ型材とを一本おきに載置した土留め枠であって、（イ）は長尺な横連結部材によってＬ型材の各立ち上がり部を連結した例を、（ロ）は短い横連結部材によって突出Ｌ型材の各立ち上がり部を連結した例を示す斜視図である。
【図１５】突出Ｌ型材のＬ型材に対する突出量を変換できる土留め枠であって、その突出量調整材を中心にしてみた部分拡大平面図である。
【図１６】従来の技術を示す斜視図である。
【図１７】従来の他の技術を示すものであって、（イ）は法面上に多数の土留め枠を配列した状態を示す斜視図、（ロ）は一つの土留め枠の斜視図である。
【符号の説明】
１０　　土留め枠
１１　　Ｌ型材
１１Ａ　突出Ｌ型材
１１ａ　載置部
１１ｂ　立ち上がり部
１１ｃ　横連結部材
１２　　連結横材
１３　　前後連結部材
１４　　斜め連結部材
１５　　突出量調整材
１５ａ　固定部材
１６　　アンカー
２０　　表面材
２１　　挿通穴
３０　　補強シート
３１　　壁面シート
３２　　植生張芝
３３　　魚巣ブロック
４０　　客土
Ｒ　　　収納空間
【図１】
2004044361.tif 000003
【図２】
2004044361.tif 000004
【図３】
2004044361.tif 000005
【図４】
2004044361.tif 000006
【図５】
2004044361.tif 000007
【図６】
2004044361.tif 000008
【図７】
2004044361.tif 000009
【図８】
2004044361.tif 000010
【図９】
2004044361.tif 000011
【図１０】
2004044361.tif 000012
【図１１】
2004044361.tif 000013
【図１２】
2004044361.tif 000014
【図１３】
2004044361.tif 000015
【図１４】
2004044361.tif 000016
【図１５】
2004044361.tif 000017
【図１６】
2004044361.tif 000018
【図１７】
2004044361.tif 000019